(57)【要約】【課題】  送風範囲を拡大した箱型扇風機の提供。【解決手段】  本体と台座を具え、本体は前後端面がいずれも開放状の中空箱体とされ、本体内部にファンが架設され、ファン底部にあって台座に向けて支持ロッドが延伸され、本体前側にブラインド式ブレードが枢設され、且つこれらブレードの一側が本体内部のステップモータに駆動されて俯角仰角の揺動を発生可能で、台座上面に受座が設けられ、ファン底部の支持ロッドが受座中に挿入され、且つ受座中にステップモータが設けられて直接支持棒に接続されて支持棒を駆動し左右角度の揺動を発生させる。以上の設置により、箱型扇風機の本体及びブレードがそれぞれステップモータの駆動を受けて左右及び仰角俯角の首振り動作を形成し、箱型扇風機の送風範囲を拡大する。【選択図】        図１
0003114902.tif 000002
【実用新案登録請求の範囲】
【請求項１】
本体と台座を具え、本体は前後端面がいずれも開放状の中空箱体とされ、本体内部にファンが架設され、ファン底部にあって台座に向けて支持ロッドが延伸された箱型扇風機において、
該本体の前側に連続状配列されたブラインド式ブレードが枢設され、且つこれらブレードの一側が本体内部のステップモータに駆動されて俯角仰角の揺動を発生し、台座上面に受座が設けられ、ファン底部の支持ロッドが受座中に挿入され、且つ受座中にステップモータが設けられて直接支持棒に接続されて支持棒を駆動し左右角度の揺動を発生させ、以上の設置により、箱型扇風機の本体及びブレードがそれぞれステップモータの駆動を受けて左右及び仰角俯角の首振り動作を形成し、箱型扇風機の送風範囲を拡大し、涼風を四方に送ることを特徴とする、箱型扇風機。
【請求項２】
請求項１記載の箱型扇風機において、本体の後側に外カバーが螺子止めされ、外カバーと本体の間にフィルタネットを設置する収容空間が形成され、且つ外カバーの壁面に大量の貫通孔が形成されて、空気を濾過する機能を具えたことを特徴とする、箱型扇風機。
【考案の詳細な説明】
【技術分野】
【０００１】
本考案は箱型扇風機に係り、特に、箱型扇風機本体が左右揺動可能で且つ前側に俯角仰角揺動可能なブレードを具え、送風範囲が広げられ、涼風を四方八方に送ることができる長所を具えた箱型扇風機に関する。
【背景技術】
【０００２】
一般に扇風機は立式と箱型の二種類があり、そのうち、立式扇風機は首振り機能を具え、これにより送風範囲は左右の広角をカバーし、箱型扇風機の一部は首振り機能がなく、このためその送風範囲は不断に回転する回転盤の制御に依存し、回転停止しない回転盤により涼風を四周に送る。ただし、上述の周知の箱型扇風機は送風範囲を広げる必要がある。
【考案の開示】
【考案が解決しようとする課題】
【０００３】
本考案の目的は、一種の箱型扇風機を提供することにあり、それは、箱型扇風機本体が左右揺動可能で且つ前側に俯角仰角揺動可能なブレードを具え、送風範囲が広げられ、涼風を四方八方に送ることができる長所を具えたものとする。
【０００４】
上述の目的を達成するため、本考案の箱型扇風機は、本体と台座を具え、本体は前後端面がいずれも開放状の中空箱体とされ、本体内部にファンが架設され、ファン底部にあって台座に向けて支持ロッドが延伸され、本体前側にブラインド式ブレードが枢設され、且つこれらブレードの一側が本体内部のステップモータに駆動されて俯角仰角の揺動を発生可能で、台座上面に受座が設けられ、ファン底部の支持ロッドが受座中に挿入され、且つ受座中にステップモータが設けられて直接支持棒に接続されて支持棒を駆動し左右角度の揺動を発生させる。以上の設置により、箱型扇風機の本体及びブレードがそれぞれステップモータの駆動を受けて左右及び仰角俯角の首振り動作を形成し、箱型扇風機の送風範囲を拡大し、涼風を四方に送る。
【０００５】
上述の箱型扇風機の本体の後側には外カバーを螺子止め可能で、外カバーと本体の間にフィルタネットを設置する収容空間が形成され、且つ外カバーの壁面に大量の貫通孔が形成されている。これにより、空気濾過の長所と機能を具備するものとされる。
【課題を解決するための手段】
【０００６】
請求項１の考案は、本体と台座を具え、本体は前後端面がいずれも開放状の中空箱体とされ、本体内部にファンが架設され、ファン底部にあって台座に向けて支持ロッドが延伸された箱型扇風機において、
該本体の前側に連続状配列されたブラインド式ブレードが枢設され、且つこれらブレードの一側が本体内部のステップモータに駆動されて俯角仰角の揺動を発生し、台座上面に受座が設けられ、ファン底部の支持ロッドが受座中に挿入され、且つ受座中にステップモータが設けられて直接支持棒に接続されて支持棒を駆動し左右角度の揺動を発生させ、以上の設置により、箱型扇風機の本体及びブレードがそれぞれステップモータの駆動を受けて左右及び仰角俯角の首振り動作を形成し、箱型扇風機の送風範囲を拡大し、涼風を四方に送ることを特徴とする、箱型扇風機としている。
請求項２の考案は、請求項１記載の箱型扇風機において、本体の後側に外カバーが螺子止めされ、外カバーと本体の間にフィルタネットを設置する収容空間が形成され、且つ外カバーの壁面に大量の貫通孔が形成されて、空気を濾過する機能を具えたことを特徴とする、箱型扇風機としている。
【考案の効果】
【０００７】
本考案の設計は、箱型扇風機に左右と仰角俯角の全方位揺動の機能を具備させ、涼風を四方八方に送ることができ、更に外界の灰塵、異物を濾過して本体内部への侵入を防止しファンの故障を防止する効果を有する。
【考案を実施するための最良の形態】
【０００８】
図１から図３に示されるように、本考案の箱型扇風機１０は本体１と台座２を包含する。
【０００９】
該本体１は、図１から図３に示されるように、前後端面がいずれも開放状の中空箱体とされ、本体１内部にファン１１が架設され、ファン１１底部にあって台座２に向けて支持ロッド１２が延伸され、本体１前側にブラインド式ブレード１３が枢設され、且つこれらブレード１３の一側が連結状を呈し（図２の如し）、  且つ本体１内部のステップモータ１４に駆動されて俯角仰角の揺動を発生可能である。本体１の後側には外カバー１５が螺子止めされ、外カバー１５と本体１の間に収容空間が形成され、該収容空間にフィルタネット１６が設置され、且つ外カバー１５の壁面に大量の貫通孔１５１が形成されている。
【００１０】
台座２は、図１及び図２に示されるように、上面に受座２１が設けられ、ファン１１底部の支持ロッド１２が受座２１中に挿入され、且つ受座２１中にステップモータ２１１が設けられて、支持ロッド１２に接続されて支持ロッド１２を駆動して左右角度の同期揺動を形成させる。
【００１１】
以上の設置により、箱型扇風機１０の本体１及びブレード２がそれぞれ底座２内部と本体１内部のステップモータ２１１、１４の駆動を受け、これにより、それぞれ本体１の左右揺動（図４）及びブレード１３の俯角仰角の首振り動作を発生し（図５）、箱型扇風機の送風範囲が拡大され、涼風を四周に伝送できる。このほか、箱型扇風機１０の電源が切断される時、これらブレード１３は自動的に回転して図６のような閉合状となり、外界の灰塵或いは異物がブレード１３間の間隙より本体１内部に侵入するのを防止する長所と機能を有する。
【００１２】
更に、本体１の後方にフィルタネット１６が設置されたことにより、箱型扇風機１０の使用過程中に、フィルタネット１６を利用して空気中の灰塵及び異物を除去でき、外界の灰塵或いは異物が本体内部に吸入されるのを防止できる。
【００１３】
本考案の設計は、箱型扇風機に左右と仰角俯角の全方位揺動の機能を具備させ、涼風を四方八方に送ることができ、更に外界の灰塵、異物を濾過して本体内部への侵入を防止しファンの故障を防止する効果を有する。
【００１４】
以上の実施例は本考案の実施範囲を限定するものではなく、本考案に基づきなしうる細部の修飾或いは改変は、いずれも本考案の請求範囲に属するものとする。
【図面の簡単な説明】
【００１５】
【図１】本考案の立体外観図である。
【図２】本考案の正面図である。
【図３】本考案の別角度の立体分解図である。
【図４】本考案の左右首振り動作表示図である。
【図５】本考案の仰角俯角首振り動作表示図である。
【図６】本考案のブレードの閉合状態表示図である。
【符号の説明】
【００１６】
１０  箱型扇風機        １  本体          １１  ファン
１２  支持ロッド        １３  ブレード    １４  ステップモータ
１５  外カバー          １５１  貫通孔    １６  フィルタネット
２  底座                ２１  受座        ２１１  ステップモータ
【図１】
0003114902.tif 000003
【図２】
0003114902.tif 000004
【図３】
0003114902.tif 000005
【図４】
0003114902.tif 000006
【図５】
0003114902.tif 000007
【図６】
0003114902.tif 000008